(57)【要約】【課題】表示装置におけるフレームの開口部周辺に配置されるケーブルを簡易な構造で保護する。【解決手段】表示装置は、表示パネルユニットと、表示パネルユニットの背面側に配置される下フレームと、下フレームの背面側に配置される保護カバーと、を備え、下フレームには、ケーブルが接続されるコネクタを露出するための開口部が形成されており、保護カバーは、前記下フレームのうちの開口部を規定する縁部とケーブルとの間に位置する保護壁と、開口部及びコネクタを覆う被覆部とを有する。【選択図】図５
2017181680.tif 000002
【特許請求の範囲】
【請求項１】
表示パネルユニットと、
前記表示パネルユニットの背面側に配置される下フレームと、
前記下フレームの背面側に配置される保護カバーと、
を備え、
前記下フレームには、ケーブルが接続されるコネクタを露出するための開口部が形成されており、
前記保護カバーは、前記下フレームのうちの前記開口部を規定する縁部と前記ケーブルとの間に位置する保護壁と、前記開口部及び前記コネクタを覆う被覆部とを有する、
ことを特徴とする表示装置。
【請求項２】
前記保護カバーには、前記保護壁と前記被覆部との間で前記ケーブルを収容するための収容用スリットが形成されている、
ことを特徴とする請求項１に記載の表示装置。
【請求項３】
前記保護カバーには、前記コネクタを目視で確認するための複数の確認用孔が形成されている、
ことを特徴とする請求項１に記載の表示装置。
【請求項４】
前記複数の確認用孔は、前記ケーブルと前記コネクタとが互いに接続する第１方向に直交する第２方向に並んで配置されている、
ことを特徴とする請求項３に記載の表示装置。
【請求項５】
表示パネルユニットは、表示パネルと、バックライトユニットとを含み、
前記バックライトユニットは、光源を搭載する光源基板を含み、
前記下フレームの背面側に、前記光源を駆動するためのバックライト駆動回路基板が配置されており、
前記バックライト駆動回路基板は、前記ケーブル及び前記コネクタを介して、前記光源基板に対して前記光源を駆動する駆動信号を供給する、
ことを特徴とする請求項１に記載の表示装置。
【発明の詳細な説明】
【技術分野】
【０００１】
本発明は、表示装置に関する。
【背景技術】
【０００２】
特許文献１は、バックライトの光源に接続されるケーブルがフレームに設けられる開口部を介して外部に引き出される表示装置を開示している。
【先行技術文献】
【特許文献】
【０００３】
【特許文献１】特開２００１−３５６３２５号公報
【発明の概要】
【発明が解決しようとする課題】
【０００４】
特許文献１に示されるようなバックライトの光源に接続されるケーブルは、フレームに設けられる開口部の縁部により被膜が破れることがある。従来はケーブルの被膜が破れることを防止するために、ケーブルに保護テープを巻いたり、開口部を保護テープで塞いだりしていたが、保護テープは破れやすく、保護テープを巻く工数が増大するという課題がある。
【０００５】
本発明は、上記課題に鑑みてなされたものであり、その目的は、表示装置におけるフレームの開口部周辺に配置されるケーブルを簡易な構造で保護することにある。
【課題を解決するための手段】
【０００６】
上記課題を解決するために、本発明の表示装置は、表示パネルユニットと、前記表示パネルユニットの背面側に配置される下フレームと、前記下フレームの背面側に配置される保護カバーと、を備え、前記下フレームには、ケーブルが接続されるコネクタを露出するための開口部が形成されており、前記保護カバーは、前記下フレームのうちの前記開口部を規定する縁部と前記ケーブルとの間に位置する保護壁と、前記開口部及び前記コネクタを覆う被覆部とを有する、ことを特徴とする。
【０００７】
本発明に係る表示装置では、前記保護カバーには、前記保護壁と前記被覆部との間で前記ケーブルを収容するための収容用スリットが形成されていてもよい。
【０００８】
本発明に係る表示装置では、前記保護カバーには、前記コネクタを目視で確認するための複数の確認用孔が形成されていてもよい。
【０００９】
本発明に係る表示装置では、前記複数の確認用孔は、前記ケーブルと前記コネクタとが互いに接続する第１方向に直交する第２方向に並んで配置されていてもよい。
【００１０】
本発明に係る表示装置では、表示パネルユニットは、表示パネルと、バックライトユニットとを含み、前記バックライトユニットは、光源を搭載する光源基板を含み、前記下フレームの背面側に、前記光源を駆動するためのバックライト駆動回路基板が配置されており、前記バックライト駆動回路基板は、前記ケーブル及び前記コネクタを介して、前記光源基板に対して前記光源を駆動する駆動信号を供給してもよい。
【発明の効果】
【００１１】
本発明によれば、表示装置におけるフレームの開口部周辺に配置されるケーブルを簡易な構造で保護することができる。
【図面の簡単な説明】
【００１２】
【図１】本実施形態に係る表示装置の全体構成を示す分解斜視図である。
【図２】本実施形態に係る表示装置の背面側を示す模式図である。
【図３】図２の部分ＩＩＩの詳細を示す斜視図である。
【図４】本実施形態に係る保護カバーを示す図である。
【図５】図３に示した表示装置に保護カバーを取り付けた状態を示す図である。
【発明を実施するための形態】
【００１３】
本発明の実施形態について、図面を用いて説明する。本実施形態では、液晶表示装置を例にして説明するが、本発明に係る表示装置は液晶表示装置に限定されるものではなく、例えば、有機ＥＬ表示装置等であってもよい。
【００１４】
図１は、本実施形態に係る表示装置１の全体構成を示す分解斜視図である。図１に示すように、本実施形態に係る表示装置１は、表示パネルユニット２と、バックライト駆動回路基板８と、保護カバー９とを含んで構成されている。また、表示装置１は、下フレーム５と、モールドフレーム６と、上フレーム７とが嵌合されることで表示パネルユニット２を挟み込むようにして組み立てられる。
【００１５】
表示パネルユニット２は、バックライトユニット３と、バックライトユニット３の表示面側に配置される表示パネル４とを含んで構成されている。
【００１６】
バックライトユニット３は、導光板３２と、導光板３２の背面側に配置される反射シート３３と、導光板３２の表示面側に配置される光学シート３４と、導光板３２の側面に配置され光源を搭載する光源基板３５と、を含んで構成されている。
【００１７】
導光板３２は、光源から照射された光を導光板３２の表示面側から均一に出射することでバックライトユニット３を面光源として機能させる。反射シート３３は、導光板３２の背面側に配置され、導光板３２の背面側から漏れ出した光を反射して導光板３２内に戻すようにする。光学シート３４は、導光板３２から出射される光を集光して表示パネル４の背面側へ導く。また、光学シート３４には導光板３２から出射される光を拡散させて均一にする拡散シートが含まれていてもよい。
【００１８】
光源基板３５は、細長い形状を有し、導光板３２の一側面に沿って配置されている。光源基板３５には、長手方向に複数の光源が配列されている。例えば、光源は、ＬＥＤ（Light Emitting Diode）を用いて構成することができる。
【００１９】
表示パネル４は、図示は省略するが、ＴＦＴ基板と、対向基板と、両基板間に挟持される液晶層とを含んで構成されている。ＴＦＴ基板には、表示パネル４を駆動するためのドライバＩＣ等が設けられている。なお、ＴＦＴ基板及び対向基板は、周知の構成を適用することができる。
【００２０】
下フレーム５は、表示面側から見て矩形状であり、バックライトユニット３を支持している。下フレーム５の材料としては、鋼板などの、剛性が高くかつ軽量の材料が好適である。
【００２１】
モールドフレーム６は、表示面側から見て矩形状であり、略Ｌ字型の断面を有している。モールドフレーム６の材料としては、合成樹脂などが好適である。
【００２２】
上フレーム７は、表示面側から見て矩形状であり、略Ｌ字型の断面を有している。上フレーム７の材料としては、鋼板などの、剛性が高くかつ軽量の材料が好適である。
【００２３】
バックライト駆動回路基板８は、下フレーム５の外側つまりは背面側に配置されており、バックライト駆動回路（図示せず）を含んで構成されている。バックライト駆動回路は、光源基板３５に対して光源を駆動するための駆動信号を供給する。
【００２４】
保護カバー９は、下フレーム５の背面側に取り付けられる。保護カバー９については後述する。
【００２５】
図２は、本実施形態に係る表示装置１の背面側を示す模式図である。図３は、図２の部分ＩＩＩの詳細を示す斜視図である。図２及び図３は、保護カバー９が取り付けられる前の状態を示している。図２及び図３に示すように、下フレーム５の背面側にバックライト駆動回路基板８が配置されている。また、下フレーム５には、コネクタ８４を配置するための開口部５１が形成されている。図２では、下フレーム５には、２つの開口部５１が形成されており、各開口部５１は下フレーム５の角に形成されている。ここでは、光源基板３５の長手方向の両端にコネクタ８４が搭載されるため、各開口部５１はコネクタ８４が位置する下フレーム５の角に形成されている。開口部５１からは、光源基板３５の一部と、光源基板３５に搭載されているコネクタ８４とが露出している。コネクタ８４は、光源基板３５に電気的に接続されていて、その上、光源基板３５とバックライト駆動回路基板８とを電気的に接続するためのケーブル８２が接続される。つまり、バックライト駆動回路基板８は、ケーブル８２及びコネクタ８４を介して、光源基板３５に対して光源を駆動するための駆動信号を供給する。
【００２６】
また図３に示すように、下フレーム５の周縁部は、表示面側に向けて凸状に形成されている。つまり、背面側から見て、下フレーム５の周縁部には溝５５が形成されている。ケーブル８２は、ケーブル８２の一部が下フレーム５の周縁部に形成された溝５５に収まるように引き回されている。具体的には図３では、ケーブル８２は、ケーブル８２とコネクタ８４とが互いに接続する第１方向に延伸した後、表示面側に向けて屈曲し、その後再び第１方向に延伸する。このときケーブル８２は下フレーム５の溝５５に収まっている。そして、ケーブル８２は背面側に向けて屈曲して延伸した後、バックライト駆動回路基板８に向けて延伸する。
【００２７】
このように、下フレーム５に開口部５１が形成され、開口部５１からコネクタ８４が露出していることで、下フレーム５の表示面側に配置される光源基板３５と、下フレーム５の背面側に配置されるバックライト駆動回路基板８とを、ケーブル８２及びコネクタ８４を介して互いに電気的に接続することができる。一方で、下フレーム５に開口部５１が形成されると、下フレーム５のうちの開口部５１を規定する縁部５３とケーブル８２とが接触しやすくなり、ケーブル８２の被膜が破れる恐れがある。特に、ケーブル８２のうち、下フレーム５の周縁部に形成された溝５５に収まるように延伸する部分は、開口部５１周りの縁部５３に接触しやすい。また、下フレーム５に開口部５１が形成されることで、開口部５１からの異物の侵入や光漏れが生じることも懸念される。
【００２８】
そこで、本実施形態では、下フレーム５の開口部５１を保護カバー９で覆う構成としている。以下、本実施形態に係る保護カバー９の構成について説明する。
【００２９】
図４は、本実施形態に係る保護カバー９を示す図である。図５は、図３に示した表示装置１に保護カバー９を取り付けた状態を示す図である。図４及び図５に示すように、保護カバー９は、開口部５１周りの縁部５３とケーブル８２との間に位置する保護壁９１と、開口部５１を覆う被覆部９２と、保護カバー９を下フレーム５に固定するための接続部９３とを含んで構成されている。保護カバー９は、合成樹脂等を射出成形して形成される。
【００３０】
保護壁９１は、開口部５１の縁部５３とケーブル８２との間に位置するように形成されている。本実施形態では、保護壁９１は、少なくとも、ケーブル８２のうち下フレーム５の溝５５を延伸している部分と、下フレーム５の縁部５３のうち溝５５に位置する部分５３ａ（図３参照）との間に位置するように形成されている。なお、保護壁９１は、下フレーム５の縁部５３全体を覆うように形成されていてもよい。保護壁９１によりケーブル８２が開口部５１の縁部５３に接触することを防止する。
【００３１】
被覆部９２は、開口部５１及びコネクタ８４を覆うように形成されている。本実施形態では、被覆部９２は、コの字状の断面を有しており、開口部５１及びコネクタ８４を背面側から覆うように形成されている。被覆部９２により開口部５１からの異物の侵入や光漏れを防止する。
【００３２】
接続部９３は、接続部材を含んで構成されており、下フレーム５と保護カバー９とを互いに固定する。例えば、ネジ等により接続部９３と下フレーム５とが互いに固定される。
【００３３】
また、保護カバー９には、保護壁９１と被覆部９２との間にケーブル８２を収容するための収容用スリット９５と、ケーブル８２を収容用スリット９５へ案内する案内用スリット９６とが形成されている。収容用スリット９５と案内用スリット９６とは連続したスリットであり、保護壁９１と被覆部９２とにより囲まれている。また案内用スリット９６の一端は開放されていて、案内用スリット９６の他端が収容用スリット９５に繋がっている。
【００３４】
図３に示した表示装置１に保護カバー９を取り付ける際は、まず、ケーブル８２を案内用スリット９６の開放端から案内用スリット９６に通して、収容用スリット９５まで移動させる。次に、ケーブル８２を収容用スリット９５に収容した状態で、保護カバー９を背面側から開口部５１を覆うように取り付ける。このとき、保護カバー９は、保護壁９１が開口部５１の縁部５３を覆うように、かつ、被覆部９２が開口部５１及びコネクタ８４を覆うように取り付けられる。その後、接続部９３と下フレーム５とが互いに固定される。
【００３５】
このように、案内用スリット９６が形成されていることで、ケーブル８２を保護壁９１と被覆部９２との間に収容させることが容易となる。また、ケーブル８２が、保護壁９１と被覆部９２との間に位置する収容用スリット９５に収容されることで、ケーブル８２と開口部５１の縁部５３とが接触しにくくなり、ケーブル８２を保護することができる。さらに、被覆部９２が開口部５１及びコネクタ８４を覆うことで、開口部５１からの異物の侵入や光漏れを低減することができる。また、保護カバー９が射出成形により１つの部材で形成されていることで、保護カバー９の取り付けが容易となる。
【００３６】
また、保護カバー９は、コネクタ８４を目視で確認するための確認用孔９８が形成されている。本実施形態では、被覆部９２に複数の確認用孔９８が形成されている。保護カバー９が開口部５１及びコネクタ８４を覆うように取り付けられると、コネクタ８４とケーブル８２とが正常に接続されているかを確認するためには、保護カバー９を取り外さなければならない。そこで、保護カバー９において、ケーブル８２とコネクタ８４とが互いに接続する部分が露出するように確認用孔９８を形成することで、保護カバー９を取り外さなくても、コネクタ８４とケーブル８２との接続状態を目視で確認することが可能となる。また、確認用孔９８は、ケーブル８２とコネクタ８４とが互いに接続する第１方向に直交する方向（図５における背面側から表示面側への方向）から確認できるように形成されていることで、コネクタの抜けを確認しやすくなる。
【００３７】
また、複数の確認用孔９８は、ケーブル８２とコネクタ８４とが互いに接続する第１方向に直交する第２方向に並んで配置されてもよい。すなわち、複数の確認用孔９８は、コネクタ８４からケーブル８２が延び出す方向に直交する方向に並んで配置されてもよい。複数の確認用孔９８を第２方向に並んで配置することで、各確認用孔９８の大きさを極力小さくするとともに、広い範囲でコネクタ８４とケーブル８２との接続状態を確認することが可能となる。また、コネクタの斜め挿入を検知することも可能となる。
【００３８】
なお、上述の実施形態では、光源基板３５とバックライト駆動回路基板８とをケーブル８２を介して互いに電気的に接続する例を示したが、この例に限定されるものではない。例えば、ケーブル８２が、電力供給用ケーブルや検査用ケーブルであっても、本実施形態の構成を適用することができる。
【００３９】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００４０】
１  表示装置、２  表示パネルユニット、３  バックライトユニット、４  表示パネル、５  下フレーム、６  モールドフレーム、７  上フレーム、８  バックライト駆動回路基板、９  保護カバー、３２  導光板、３３  反射シート、３４  光学シート、３５  光源基板、５１  開口部、８２  ケーブル、８４  コネクタ、５３  縁部、５３ａ  部分、５５  溝、９１  保護壁、９２  被覆部、９３  接続部、９５  収容用スリット、９６  案内用スリット、９８  確認用孔。
【図１】
2017181680.tif 000003
【図２】
2017181680.tif 000004
【図３】
2017181680.tif 000005
【図４】
2017181680.tif 000006
【図５】
2017181680.tif 000007